(57)【要約】      （修正有）【課題】使用中にペンダントが回転して表裏が逆になった場合でも見栄えが悪くなることがなく、それに伴ってペンダントの表裏を気にする必要のないペンダントを提供する。【解決手段】宝石を係止しつつ装着可能な１又は複数個の係止部２０１を有する本体部と、正面側に露出する配置で前記係止部に装着された主宝石３と、正面側が本体部の背面側に露出する配置で前記係止部に装着された従宝石４と、を具備してなることを特徴としており、正面側から見た場合でもまた裏面側見た場合でも宝石が見えるようにすることで、ペンダントの表裏を無くして、ペンダントが反転して裏面が露出した場合でも見栄えが悪くなることを防止し、ペンダントの反転等を気にする必要が無くなった。【選択図】図２
0003110417.tif 000002
【実用新案登録請求の範囲】
【請求項１】
宝石を係止しつつ装着可能な１又は複数個の係止部（２０１）を有する本体部（２）と、
正面側が本体部（２）の正面側に露出する配置で前記係止部（２０１）に装着された主宝石（３）と、
正面側が本体部（２）の背面側に露出する配置で前記係止部（２０１）に装着  された従宝石（４）と、を具備してなることを特徴とするペンダント。
【請求項２】
前記主宝石（３）及び／又は従宝石（４）がダイヤモンドであることを特徴とする請求項１に記載のペンダント。
【考案の詳細な説明】
【技術分野】
【０００１】
本考案は、宝石を備えた、ネックレス、イヤリング等に連結されるペンダントに係り、より詳しくは、正面側に主となる宝石を備えるとともに裏面側には小さめの従となる宝石を備えたペンダントに関する。
【背景技術】
【０００２】
従来から、ネックレスやイヤリングに吊着されるペンダントの中にはダイヤモンド等の宝石を備えたものが存在しているが、このようなペンダントでは一般的に、本体部の正面側にダイヤモンドのテーブルが向くような配置で本体部にダイヤモンドを係止し、本体部の裏面には何らの装飾も施していないために、ペンダントの表裏が明確になっている。
【０００３】
ここで、図６は、３個のダイヤモンド３３をそれぞれ本体部３２に係止したペンダント３１の裏面を示した図であり、図において、本体部３２の裏面には大きめの開口３４が形成されており、この開口３４からは本体部３２に係止したダイヤモンド３３の底面が見えている。
【０００４】
そのため、このようなペンダントでは、ペンダントの表裏が明確に区別できてしまうために、これを身体に装着して使用しているときにペンダントが表裏反対になってしまうと見栄えが悪くなってしまうという問題点がある。
【０００５】
この点、過去において、ペンダントの回転を防止するための種々の方法が提供されているが、使用者が激しく動いた場合には有効ではなく、また構造が複雑になってしまうという問題点がある。
【特許文献１】特開２００１−２５２１１４号公報
【考案の開示】
【考案が解決しようとする課題】
【０００６】
そこで、本考案は、使用中にペンダントが回転して表裏が逆になった場合でも見栄えが悪くなることがなく、それに伴ってペンダントの表裏を気にする必要のないペンダントを提供することを課題としている。
【課題を解決するための手段】
【０００７】
本考案のペンダントは、宝石を係止しつつ装着可能な１又は複数個の係止部を有する本体部と、正面側が本体部の正面側に露出する配置で前記係止部に装着された主宝石と、正面側が本体部の背面側に露出する配置で前記係止部に装着された従宝石と、を具備してなることを特徴としている。
【考案の効果】
【０００８】
本考案のペンダントでは、本体部の正面側にその正面が露出するような配置で、本体部を構成する係止部に主となる宝石を装着するとともに、本体部の背面側にその正面が露出するような配置で、小さめの従となる宝石を前記係止部に装着し、これによってペンダントの表裏を無くしているため、ペンダントが回転した場合でも見栄えが悪くなることが無く、ペンダントの回転を気にする必要が無くなる。
【考案を実施するための最良の形態】
【０００９】
本考案のペンダントでは、ペンダントの躯体を構成する本体部を有しており、この本体部は、ダイヤモンド等の宝石を装着可能な１又は複数個の係止部を有している。
【００１０】
そして、この係止部には、その正面が本体部の正面側に露出するような配置で、ダイヤモンド等からなる主宝石が係止されている。
【００１１】
一方、前記係止部の背面側には、前記主宝石と反対方向に向くようにして、即ち、その正面が本体部の背面側に露出するような配置で、前記主宝石よりも小さめのダイヤモンド等によりなる従宝石が係止され、これにより本考案のペンダントが構成されている。
【実施例１】
【００１２】
本考案のペンダントの実施例について図面を参照して説明すると、図１は本実施例のペンダントの正面図であり、また、図２は図１におけるＡ−Ａ線断面図、図３は図１におけるＢ−Ｂ線断面図、及び図４は本実施例のペンダントの背面図である。
【００１３】
そして、図において１が本実施例のペンダントであり、本実施例のペンダントでは、３個のダイヤモンドを縦に並列に具備した形態としている。
【００１４】
即ち、本実施例のペンダント１では、３箇所の係止部２０１を有するとともに、この３箇所の係止部２０１を連結部２０２により連結することで構成される本体部２を有しており、前記係止部２０１には、本体部２の正面側にテーブル面が向くような配置で、主ダイヤモンド３が、その下方部分が収容されるようにして係止されている。
【００１５】
ここで、前記本体部２について説明すると、図５は本実施例における前記本体部２の概略斜視図であり、本実施例において前記本体部２は、それぞれがダイヤモンド等の宝石を係止可能とした３個の係止部２０１を連結部２０２で連結させた構成としている。
【００１６】
そして、それぞれの前記係止部２０１は、２個のリング状部材２０９と、このリング状部材２０９の外周側において、リング状部材２０９を間隔を置いて略平行状態で二段になるように連結した４本の支柱２０８とを有しており、これにより、係止部２０１の正面側には正面側開口２０３が形成されている。
【００１７】
また、前記リング状部材２０９の内径は収容されるダイヤモンド３のガードル３０２の外径よりも小さく形成されており、更に、前記支柱２０８の先端部２０４は係止爪部とされている。
【００１８】
そして、前記主ダイヤモンド３は、テーブル部分３０４が本体部２の外側に向くような配置で係止部２０１内に挿入されつつ、パビリオン部分３０１の任意の箇所が前記係止部２０１の上端部分に係止され、更に、ダイヤモンド３側に向けて変形させた前記係止爪部２０４によりクラウン部分が押えされ、これにより、主ダイヤモンド３は、本体部２の正面側にテーブル部分３０４を露出させた状態で係止部２０１に装着されている。
【００１９】
一方、前記係止部２０１の背面側には壁２０７が形成されているとともに、この壁２０７には、前記正面側開口２０３よりも小さい開口２０５が形成されており、この背面側開口２０５を介して、前記係止部２０１の背面側に従ダイヤモンド４が係止されている。
【００２０】
即ち、前記背面側開口２０５の内径は、係止部２０１に係止される従ダイヤモンド４の外径よりも小さく形成されており、前記従ダイヤモンド４は、その正面が本体部２の背面側に向くような配置で、背面側開口２０５から係止部２０１内に挿入されるとともに、パビリオン部分の任意の箇所が前記背面側開口２０５に係止され、更に、本体部２の外側において背面側開口２０５の周囲に連設した係止爪部２０６によりクラウン部分が押えされており、これにより、従ダイヤモンド４は、本体部２の背面側にテーブル部分を露出させた状態で係止部２０１に装着されている。
【００２１】
このように構成される本実施例のペンダント１の作用について説明すると、本実施例のペンダント１をネックレス等に吊着するとともに、正面側が露出する形態でネックレスを身体に装着すると、主ダイヤモンド３のテーブル部分３０４が露出することにより身体を飾ることが可能となる。
【００２２】
一方、使用者の体が動くこと等によりペンダントが反転した場合には、本体部２の背面側に係止した従ダイヤモンド４が露出し、これにより、従ダイヤモンド４により身体を飾ることが可能となる。
【００２３】
このように、本実施例のペンダントでは、主ダイヤモンド３のテーブル部分が露出した正面側のみならず、従ダイヤモンド４のテーブル部分が露出した背面側においても身体を飾ることができるために、使用に際して、ペンダントが反転することを気にする必要がない。
【００２４】
なお、前述の実施例では、３連の主ダイヤモンドを備えるとともにそれぞれの主ダイヤモンドの背面側に従ダイヤモンド４を備えた形態について説明したが、本考案のペンダントは必ずしもこのような形態に限定されるものではなく、主ダイヤモンドの数は１個又は複数個のいずれでも良い。
【００２５】
また、従ダイヤモンドは必ずしもすべての主ダイヤモンドの背面側に備える必要もなく、３個の主ダイヤモンドのうちのいずれかの背面側にのみ従ダイヤモンドを備える形態としてもよい。更に、従宝石の大きさは必ずしも主宝石に比較して小型にする必要はなく、同等又はそれ以上の大きさにしてもよい。
【産業上の利用可能性】
【００２６】
本考案のペンダントは、宝石を備えたペンダントにおいて、主宝石の背面側に従宝石を備えて、これによりペンダントの表裏を無くしたために、表裏を備えるとともに表面側に宝石を備えた装身具の全般に適用可能である。
【図面の簡単な説明】
【００２７】
【図１】本考案のペンダントの実施例の正面図である。
【図２】図１におけるＡ−Ａ線断面図である。
【図３】図１におけるＢ−Ｂ線断面図である。
【図４】本考案のペンダントの実施例の背面図である。
【図５】本考案のペンダントの実施例に用いる本体部の斜視図である。
【図６】従来のペンダントの背面図である。
【符号の説明】
【００２８】
１    ペンダント
２    本体部
２０１    係止部
２０２    連結部
２０３    正面側開口
２０４    正面側係止爪部
２０５    背面側開口
２０６    背面側に突設した係止爪部
２０７    背面側壁部
２０８    支柱
２０９    リング状部材
３    主ダイヤモンド
３０１    主ダイヤモンドのパビリオン部
３０２    主ダイヤモンドのガードル部
３０３    主ダイヤモンドのクラウン部
３０４    主ダイヤモンドのテーブル部
４    従ダイヤモンド
【図１】
0003110417.tif 000003
【図２】
0003110417.tif 000004
【図３】
0003110417.tif 000005
【図４】
0003110417.tif 000006
【図５】
0003110417.tif 000007
【図６】
0003110417.tif 000008